(57)【要約】【課題】使い勝手に優れ、使用前の手間がかからず、しかも構造が簡素な切断用定規を提供する。【解決手段】切断用定規１は、ほぼ直角三角形板状のガイド板２を有している。ガイド板２は、第１のガイド縁部３および第２のガイド縁部４を備えている。ガイド板２には、被切断部材１３の側面１３ａに宛てがわれる第１の宛て部材５が、回転中心ＣＴ１を中心として回転自在に取り付けられている。第１の宛て部材５が任意の回転角度に位置決めされた状態で第１の宛て部材５をガイド板２に固定しうる固定手段１０が設けられている。【選択図】図３
2014008648.tif 000002
【特許請求の範囲】
【請求項１】
被切断部材を切断する際に用いられる切断用定規であって、
ほぼ直角三角形板状のガイド板を有し、
このガイド板は、当該ガイド板の平面図形であるほぼ直角三角形の直角を挟む２辺のうち一方の辺に相当する部位に第１のガイド縁部を備えるとともに、当該ガイド板の平面図形であるほぼ直角三角形の斜辺に相当する部位に第２のガイド縁部を備え、
前記ガイド板の平面図形であるほぼ直角三角形の直角を挟む２辺のうち他方の辺に相当する部位に、前記被切断部材の側面に宛てがわれる第１の宛て部材が、当該ガイド板の平面図形であるほぼ直角三角形の直角の頂点の近傍に位置する回転中心を中心として回転自在に取り付けられ、
前記ガイド板の平面図形であるほぼ直角三角形の直角を挟む２辺のうち前記他方の辺に対して前記第１の宛て部材が任意の回転角度に位置決めされた状態で当該第１の宛て部材を前記ガイド板に固定しうる固定手段が設けられていることを特徴とする切断用定規。
【請求項２】
前記ガイド板に、前記回転中心を中心とする円弧状のスリットが形成され、
前記固定手段は、前記第１の宛て部材の回転に伴って前記スリットに沿って移動するように当該第１の宛て部材に設けられた雄ねじ部材と、この雄ねじ部材に螺合する雌ねじ部材とを含み、
前記ガイド板の平面図形であるほぼ直角三角形の直角を挟む２辺のうち前記他方の辺に対して前記第１の宛て部材が任意の回転角度に位置決めされた状態で、前記雄ねじ部材に前記雌ねじ部材が締め付けられることにより、前記第１の宛て部材が前記ガイド板に固定されるように構成されていることを特徴とする請求項１に記載の切断用定規。
【請求項３】
前記ガイド板に、前記回転中心を中心とする円弧状のスリットが形成され、
前記固定手段は、前記第１の宛て部材の回転に伴って前記スリットに沿って移動するように当該第１の宛て部材に設けられた雌ねじ部材と、この雌ねじ部材に螺合する雌ねじ部材とを含み、
前記ガイド板の平面図形であるほぼ直角三角形の直角を挟む２辺のうち前記他方の辺に対して前記第１の宛て部材が任意の回転角度に位置決めされた状態で、前記雌ねじ部材に前記雄ねじ部材が締め付けられることにより、前記第１の宛て部材が前記ガイド板に固定されるように構成されていることを特徴とする請求項１に記載の切断用定規。
【請求項４】
前記ガイド板に、当該ガイド板の平面図形であるほぼ直角三角形の直角を挟む２辺のうち前記他方の辺に対する前記第１の宛て部材の回転角度を示す目盛が前記スリットに沿って設けられていることを特徴とする請求項２または３に記載の切断用定規。
【請求項５】
前記ガイド板の平面図形であるほぼ直角三角形の直角を挟む２辺のうち前記他方の辺に相当する部位に、前記被切断部材の側面に宛てがわれる第２の宛て部材が前記ガイド板を挟んで前記第１の宛て部材に対向するように取り付けられていることを特徴とする請求項１乃至４のいずれかに記載の切断用定規。
【請求項６】
前記ガイド板は、ほぼ直角二等辺三角形板状を呈していることを特徴とする請求項１乃至５のいずれかに記載の切断用定規。
【請求項７】
前記ガイド板は、透明であることを特徴とする請求項１乃至６のいずれかに記載の切断用定規。
【発明の詳細な説明】
【技術分野】
【０００１】
本発明は、電動丸鋸などの切断工具を用いて板材や柱材などの被切断部材を切断する際に用いられる切断用定規に関するものである。
【背景技術】
【０００２】
従来、この種の切断用定規としては、ガイド用基板に複数のガイド板本体を着脱自在に設けたガイド板と、角度確知板２とを枢着したものが提案されていた（例えば、特許文献１参照）。
【先行技術文献】
【特許文献】
【０００３】
【特許文献１】特開２００８−１０５２８０号公報
【発明の概要】
【発明が解決しようとする課題】
【０００４】
しかしながら、このような切断用定規では、次のような課題があった。
【０００５】
第１に、ガイド板本体の片側にしかガイド縁部が形成されていないため、被切断部材を切断する際には、切断工具を添えるのが切断用定規の片側（例えば、右側）に限られるため、切断用定規の使い勝手が良くない。
【０００６】
第２に、切断用定規の使用に際しては、予めガイド用基板にガイド板本体を差し込んで取り付けなければならないため、切断用定規を使用するまでに手間がかかる。
【０００７】
第３に、ガイド板がガイド用基板および複数のガイド板本体の多部品から構成されているため、必然的に構造が複雑になってしまう。
【０００８】
本発明は、このような事情に鑑み、使い勝手に優れ、使用前の手間がかからず、しかも構造が簡素な切断用定規を提供することを目的とする。
【課題を解決するための手段】
【０００９】
かかる目的を達成するため、請求項１に記載の発明は、被切断部材を切断する際に用いられる切断用定規であって、ほぼ直角三角形板状のガイド板を有し、このガイド板は、当該ガイド板の平面図形であるほぼ直角三角形の直角を挟む２辺のうち一方の辺に相当する部位に第１のガイド縁部を備えるとともに、当該ガイド板の平面図形であるほぼ直角三角形の斜辺に相当する部位に第２のガイド縁部を備え、前記ガイド板の平面図形であるほぼ直角三角形の直角を挟む２辺のうち他方の辺に相当する部位に、前記被切断部材の側面に宛てがわれる第１の宛て部材が、当該ガイド板の平面図形であるほぼ直角三角形の直角の頂点の近傍に位置する回転中心を中心として回転自在に取り付けられ、前記ガイド板の平面図形であるほぼ直角三角形の直角を挟む２辺のうち前記他方の辺に対して前記第１の宛て部材が任意の回転角度に位置決めされた状態で当該第１の宛て部材を前記ガイド板に固定しうる固定手段が設けられている切断用定規としたことを特徴とする。
【００１０】
また、請求項２に記載の発明は、請求項１に記載の構成に加え、前記ガイド板に、前記回転中心を中心とする円弧状のスリットが形成され、前記固定手段は、前記第１の宛て部材の回転に伴って前記スリットに沿って移動するように当該第１の宛て部材に設けられた雄ねじ部材と、この雄ねじ部材に螺合する雌ねじ部材とを含み、前記ガイド板の平面図形であるほぼ直角三角形の直角を挟む２辺のうち前記他方の辺に対して前記第１の宛て部材が任意の回転角度に位置決めされた状態で、前記雄ねじ部材に前記雌ねじ部材が締め付けられることにより、前記第１の宛て部材が前記ガイド板に固定されるように構成されていることを特徴とする。
【００１１】
また、請求項３に記載の発明は、請求項１に記載の構成に加え、前記ガイド板に、前記回転中心を中心とする円弧状のスリットが形成され、前記固定手段は、前記第１の宛て部材の回転に伴って前記スリットに沿って移動するように当該第１の宛て部材に設けられた雌ねじ部材と、この雌ねじ部材に螺合する雌ねじ部材とを含み、前記ガイド板の平面図形であるほぼ直角三角形の直角を挟む２辺のうち前記他方の辺に対して前記第１の宛て部材が任意の回転角度に位置決めされた状態で、前記雌ねじ部材に前記雄ねじ部材が締め付けられることにより、前記第１の宛て部材が前記ガイド板に固定されるように構成されていることを特徴とする。
【００１２】
また、請求項４に記載の発明は、請求項２または３に記載の構成に加え、前記ガイド板に、当該ガイド板の平面図形であるほぼ直角三角形の直角を挟む２辺のうち前記他方の辺に対する前記第１の宛て部材の回転角度を示す目盛が前記スリットに沿って設けられていることを特徴とする。
【００１３】
また、請求項５に記載の発明は、請求項１乃至４のいずれかに記載の構成に加え、前記ガイド板の平面図形であるほぼ直角三角形の直角を挟む２辺のうち前記他方の辺に相当する部位に、前記被切断部材の側面に宛てがわれる第２の宛て部材が前記ガイド板を挟んで前記第１の宛て部材に対向するように取り付けられていることを特徴とする。
【００１４】
また、請求項６に記載の発明は、請求項１乃至５のいずれかに記載の構成に加え、前記ガイド板は、ほぼ直角二等辺三角形板状を呈していることを特徴とする。
【００１５】
また、請求項７に記載の発明は、請求項１乃至６のいずれかに記載の構成に加え、前記ガイド板は、透明であることを特徴とする。
【発明の効果】
【００１６】
請求項１に記載の発明によれば、ガイド板に２つのガイド縁部が形成されているので、切断用定規を用いて被切断部材を切断する際に、被切断部材の切断角度や作業者の好みに応じて２つのガイド縁部を使い分けることができる。そのため、切断用定規の使い勝手を向上させることができる。また、従来の切断用定規と異なり、切断用定規の使用に際して予めガイド用基板にガイド板本体を差し込んで取り付ける作業が不要であるため、切断用定規の使用前の手間を省くことができる。さらに、ガイド板が１部品から構成されているので、切断用定規の構造を簡素なものとすることができる。
【００１７】
請求項２に記載の発明によれば、固定手段が雄ねじ部材および雌ねじ部材から構成されており、雄ねじ部材に雌ねじ部材を締め付けるだけで、第１の宛て部材をガイド板に固定することができるため、切断用定規の使い勝手を一層向上させることが可能となる。
【００１８】
請求項３に記載の発明によれば、固定手段が雌ねじ部材および雄ねじ部材から構成されており、雌ねじ部材に雄ねじ部材を締め付けるだけで、第１の宛て部材をガイド板に固定することができるため、切断用定規の使い勝手を一層向上させることが可能となる。
【００１９】
請求項４に記載の発明によれば、ガイド板に目盛が設けられているので、被切断部材の切断角度に応じて、第１の宛て部材の回転角度を容易に設定することができる。したがって、この点でも切断用定規の使い勝手を向上させることが可能となる。
【００２０】
請求項５に記載の発明によれば、第２の宛て部材が取り付けられているので、必要に応じて切断用定規を裏返して使用することができる。したがって、この点でも切断用定規の使い勝手を向上させることが可能となる。
【００２１】
請求項６に記載の発明によれば、ガイド板がほぼ直角二等辺三角形板状を呈しているため、被切断部材の幅方向に対する第１および第２のガイド縁部の傾斜角度がそれぞれ０°および４５°、つまり、被切断部材の切断で最も多用される角度になる。その結果、第１の宛て部材を回転させることなく、これらの角度の切断を迅速に行うことができる。したがって、この点でも切断用定規の使い勝手を向上させることが可能となる。
【００２２】
請求項７に記載の発明によれば、ガイド板が透明であるため、切断用定規を被切断部材に宛てがったときに、ガイド板の下に被切断部材が透けて見える。したがって、この点でも切断用定規の使い勝手を向上させることが可能となる。
【図面の簡単な説明】
【００２３】
【図１】本発明の実施の形態１に係る切断用定規の斜視図である。
【図２】同実施の形態１に係る切断用定規を示す図であって、（ａ）はその正面図、（ｂ）はその右側面図、（ｃ）はその背面図である。
【図３】同実施の形態１に係る切断用定規の使用状態図である。
【発明を実施するための形態】
【００２４】
以下、本発明の実施の形態について説明する。
［発明の実施の形態１］
【００２５】
図１乃至図３には、本発明の実施の形態１を示す。
【００２６】
実施の形態１に係る切断用定規１は、図３に示すように、板材や柱材などの被切断部材１３を切断する際に用いられるものであって、図１および図２に示すように、ほぼ直角二等辺三角形板状の無色透明な合成樹脂製のガイド板２を有している。ここで、「ほぼ直角二等辺三角形板状」とは、直角二等辺三角形板状の部分に、後述する第２の宛て部材６が取り付けられる短冊板状の部分が一体に連設された板状を意味する。このガイド板２は、ガイド板２の平面図形であるほぼ直角二等辺三角形の直角を挟む２辺のうち一方の辺に相当する部位に第１のガイド縁部３を備えるとともに、ガイド板２の平面図形であるほぼ直角二等辺三角形の斜辺に相当する部位に第２のガイド縁部４を備えている。さらに、ガイド板２には、ガイド板２の平面図形であるほぼ直角二等辺三角形の直角の頂点の近傍に位置する回転中心ＣＴ１を中心とする円弧状のスリット７が、ガイド板２の厚さ方向（図２（ｂ）左右方向）に貫通して形成されている。
【００２７】
また、ガイド板２の平面図形であるほぼ直角二等辺三角形の直角を挟む２辺のうち他方の辺（以下、「ガイド板２の他方辺」と略記する。）に相当する部位には、図１乃至図３に示すように、被切断部材１３の側面１３ａに宛てがわれる短冊板状の合成樹脂製の第１の宛て部材５が、回転中心ＣＴ１を中心として矢印Ｍ、Ｎ方向に０〜４０°の角度範囲内で回転自在に取り付けられている。さらに、同部位には短冊板状の合成樹脂製の第２の宛て部材６が、０°の回転角度に位置決めされた第１の宛て部材５にガイド板２を挟んで対向するように取り付けられている。さらに、第２の宛て部材６には短冊板状の合成樹脂製のストッパ９が、第１の宛て部材５を０°の回転角度に位置決めするように固定されている。なお、ガイド板２には、ガイド板２の他方辺に対する第１の宛て部材５の回転角度を示す「１０」、「２０」、「３０」、「４０」などの目盛８がスリット７の内側に沿って設けられている。
【００２８】
また、切断用定規１には、図２に示すように、ガイド板２の他方辺に対して第１の宛て部材５が０〜４０°の任意の回転角度に位置決めされた状態で第１の宛て部材５をガイド板２に固定しうる固定手段１０が設けられている。この固定手段１０は、第１の宛て部材５の回転に伴ってスリット７に沿って移動するように第１の宛て部材５に設けられた雄ねじ部材１１と、この雄ねじ部材１１に螺合する雌ねじ部材１２とから構成されている。なお、第２の宛て部材６には、図３に示すように、Ｕ字形の切欠き部６ａがスリット７の下端部に対応して形成されている。
【００２９】
切断用定規１は以上のような構成を有するので、この切断用定規１を用いて被切断部材１３を切断する際には、次の手順による。
【００３０】
まず、宛て部材位置決め工程で、被切断部材１３の切断角度αに応じて、ガイド板２の他方辺に対して第１の宛て部材５を所定の回転角度に位置決めする。ここで、被切断部材１３の切断角度αは、図３に示すように、被切断部材１３の幅方向（矢印Ａ、Ｂ方向）から傾斜した角度を意味し、反時計方向をマイナス（−）、時計方向をプラス（＋）で表す。
【００３１】
このとき、被切断部材１３の切断角度αが具体的に何度か判明している場合には、目盛８を利用して第１の宛て部材５の回転角度を設定する。それには、被切断部材１３の切断角度αの符号を反転させた角度に目盛８を合わせる。例えば、被切断部材１３の切断角度αが０°であるときには、第１の宛て部材５の前側面５ａを目盛８の「０」に一致させる。このとき、第１の宛て部材５はその後側面５ｂがストッパ９に当たった状態となっている。また、被切断部材１３の切断角度αが−１０°であるときには、図３に示すように、第１の宛て部材５の前側面５ａを目盛８の「１０」に一致させる。さらに、被切断部材１３の切断角度αが−３５°であるときには、図２（ｃ）に示すように、第１の宛て部材５の前側面５ａを目盛８の「３５」に一致させる。このように、目盛８を利用すれば、第１の宛て部材５の回転角度を容易に設定することができる。したがって、この点で切断用定規１は使い勝手に優れる。
【００３２】
一方、被切断部材１３の切断角度αが具体的に何度か判明していない場合には、目盛８を利用することができないので、現場において、被切断部材１３の切断角度αを切断用定規１に写し取ることにより、第１の宛て部材５の回転角度を設定することができる。例えば、床下地材の上側に被切断部材１３として床仕上げ材（フローリング）を板張り施工する現場について考えると、床仕上げ材の側面に第１の宛て部材５を宛てがうとともに、内壁材の表面に第１のガイド縁部３または第２のガイド縁部４を宛てがうことにより、床仕上げ材の切断角度を切断用定規１に写し取ることができる。その結果、第１の宛て部材５の回転角度を設定することが可能となる。
【００３３】
こうして、第１の宛て部材５が所定の回転角度に位置決めされた状態で、宛て部材固定工程に移行し、雄ねじ部材１１に雌ねじ部材１２を締め付けることにより、この第１の宛て部材５をガイド板２に固定する。すると、切断用定規１は、第１の宛て部材５が、ガイド板２の他方辺に対して所定の回転角度に位置決めされた状態でガイド板２に固定された状態となる。このように、雄ねじ部材１１に雌ねじ部材１２を締め付けるだけで、第１の宛て部材５をガイド板２に固定することができる。したがって、この点でも切断用定規１は使い勝手に優れる。
【００３４】
最後に、切断実行工程に移行し、電動丸鋸などの切断工具（図示せず）を用いて被切断部材１３を切断する。それには、図３に示すように、切断用定規１の第１の宛て部材５の前側面５ａを被切断部材１３の側面１３ａに宛てがい、左手でこの切断用定規１のガイド板２を被切断部材１３に押し付けた状態で、右手で切断工具を握り、この切断工具を切断用定規１の第１のガイド縁部３に沿わせながら前方へ移動させて被切断部材１３を切断する。
【００３５】
このとき、切断用定規１の第１の宛て部材５は、上述したとおり、被切断部材１３の切断角度αに応じた所定の回転角度に位置決めされて固定されているので、第１の宛て部材５を被切断部材１３の側面１３ａに宛てがったときには、被切断部材の幅方向に対する第１のガイド縁部３の傾斜角度は被切断部材１３の切断角度αに一致する。しかも、切断用定規１は、この状態で被切断部材１３に押し付けられている。したがって、被切断部材１３の切断作業を正確に行なうことができる。
【００３６】
また、切断用定規１は、上述したとおり、ガイド板２が透明であるため、切断用定規１を被切断部材１３に宛てがったときに、ガイド板２の下に被切断部材１３が透けて見える。したがって、この点でも切断用定規１は使い勝手に優れる。
【００３７】
ここで、切断用定規１による被切断部材１３の切断作業が終了する。
【００３８】
なお、ここでは、切断工具を切断用定規１の第１のガイド縁部３に沿わせながら被切断部材１３を切断する切断作業について説明した。しかし、第１のガイド縁部３に代えて第２のガイド縁部４を利用することもできる。ただし、第２のガイド縁部４は、第１のガイド縁部３に対して４５°傾いているので、目盛８を利用して第１の宛て部材５の回転角度を設定する場合には、４５°から被切断部材１３の切断角度αを減じた角度に目盛８を合わせる必要がある。例えば、被切断部材１３の切断角度αが＋３５°であるときには、図３に示すように、第１の宛て部材５の前側面５ａを目盛８の「１０」に一致させる。
【００３９】
このように、切断用定規１には、ガイド板２に２つのガイド縁部（第１および第２のガイド縁部３、４）が形成されているので、切断用定規１を用いて被切断部材１３を切断する際に、被切断部材１３の切断角度αや作業者の好みに応じて２つのガイド縁部を使い分けることができる。したがって、この点でも切断用定規１は使い勝手に優れる。
【００４０】
また、従来の切断用定規１と異なり、切断用定規１の使用に際して予めガイド用基板にガイド板本体を差し込んで取り付ける作業が不要である。そのため、切断用定規１の使用前の手間を省くことができる。
【００４１】
さらに、ガイド板２が１部品から構成されているので、切断用定規１の構造を簡素なものとすることができる。
【００４２】
また、切断用定規１には、上述したとおり、第２の宛て部材６が取り付けられているので、必要に応じて切断用定規１を裏返して使用することができる。したがって、この点でも切断用定規１は使い勝手に優れる。
【００４３】
さらに、切断用定規１は、上述したとおり、ガイド板２がほぼ直角二等辺三角形板状を呈しているため、被切断部材１３の幅方向に対する第１および第２のガイド縁部３、４の傾斜角度がそれぞれ０°および４５°、つまり、被切断部材の切断で最も多用される角度になる。その結果、第１の宛て部材５を回転させることなく、これらの角度の切断を迅速に行うことができる。したがって、この点でも切断用定規１は使い勝手に優れる。
［発明のその他の実施の形態］
【００４４】
なお、上述した実施の形態１では、雄ねじ部材１１および雌ねじ部材１２からなる固定手段１０を備えた切断用定規１について説明したが、この固定手段１０としては、これに限るわけではない。例えば、第１の宛て部材５の回転に伴ってスリット７に沿って移動するように第１の宛て部材５に設けられた雌ねじ部材（図示せず）と、この雌ねじ部材に螺合する雌ねじ部材（図示せず）とから、固定手段１０を構成してもよい。この場合、ガイド板２の他方辺に対して第１の宛て部材５が任意の回転角度に位置決めされた状態で、前記雌ねじ部材に前記雄ねじ部材を締め付けることにより、第１の宛て部材５ガイド板２に固定することができる。
【００４５】
また、上述した実施の形態１では、切断用定規１の使い勝手を向上させるべく、ガイド板２に目盛８を設けた場合について説明した。しかし、この目盛８は必ずしも設ける必要はない。
【００４６】
また、上述した実施の形態１では、第１および第２の宛て部材５、６を備えた切断用定規１について説明した。しかし、第２の宛て部材６を省くこともできる。或いは、第２の宛て部材６の上側（図２（ｂ）左側）に、第３の宛て部材（図示せず）を回転中心ＣＴ１を中心として矢印Ｍ、Ｎ方向に回転自在に取り付けてもよい。この場合、切断用定規１を裏返して使用するときに、この第３の宛て部材を被切断部材１３の切断角度αに応じて適宜回転させることにより、被切断部材１３を所望の切断角度αで切断することが可能となる。
【００４７】
また、上述した実施の形態１では、ガイド板２の平面図形がほぼ直角二等辺三角形（つまり、２つの鋭角がいずれも４５°のほぼ直角三角形）である切断用定規１について説明した。しかし、ガイド板２の平面図形は、ほぼ直角二等辺三角形に限るわけではなく、例えば、２つの鋭角が３０°、６０°の直角不等辺三角形であっても構わない。
【００４８】
さらに、上述した実施の形態１では、切断用定規１の使い勝手を向上させるべく、ガイド板２を透明にすることにより、切断用定規１を被切断部材１３に宛てがったときに、ガイド板２の下に被切断部材１３が透けて見えるようにした場合について説明した。しかし、このような必要がない場合には、ガイド板２を不透明または半透明にすることもできる。
【産業上の利用可能性】
【００４９】
本発明は、電動丸鋸などの切断工具を用いて板材や柱材などの被切断部材を切断する際に用いられる切断用定規に適用することができる。
【符号の説明】
【００５０】
１……切断用定規
２……ガイド板
３……第１のガイド縁部
４……第２のガイド縁部
５……第１の宛て部材
５ａ……前側面
５ｂ……後側面
６……第２の宛て部材
６ａ……切欠き部
７……スリット
８……目盛
９……ストッパ
１０……固定手段
１１……雄ねじ部材
１２……雌ねじ部材
１３……被切断部材
１３ａ……側面
ＣＴ１……回転中心
α……切断角度
【図１】
2014008648.tif 000003
【図２】
2014008648.tif 000004
【図３】
2014008648.tif 000005